(57)【要約】【課題】  イメージ妨害を生じさせない空きチャンネルにＲＦ出力チャンネルとして自動的に割り当てることが可能なＲＦ出力設定機能を備えた映像機器を提供する。【解決手段】  自動選局実行部１４によってプリセット時に全チャンネルをサーチし、有局、無局の判断を行う。空きチャンネル検出部１５によりチャンネルデータから周波数が低い有局チャンネルから２つ以上空きチャンネルが連続しているところを探し、そのプリセットされた有局チャンネルを基準として２番目の空きチャンネルをＲＦ出力チャンネルとして設定することにより、隣接する下位の有局チャンネルの受信障害及びイメージ妨害が及ぶチャンネルにＲＦ出力チャンネルが選択されることがない。【選択図】      図２
2005341338.tif 000002
【特許請求の範囲】
【請求項１】
チューナに導かれる放送信号をサーチして有局チャンネルと無局の空きチャンネルを選局する選局手段と、この選局手段によって検出された空きチャンネルのうち、少なくとも２つの連続する空きチャンネルを検出する空きチャンネル検出手段と、この空きチャンネル検出手段で検出した２つの空きチャンネルのうち、周波数が低い下位の有局チャンネルから１つの空きチャンネルを置いて２番目の空きチャンネルをＲＦ出力チャンネルとして設定するＲＦ出力設定手段とを設けたことを特徴するＲＦ出力設定機能を備えた映像機器。
【請求項２】
前記選局手段によって有局チャンネルと空きチャンネルを選局した後、前記ＲＦ出力設定手段によって設定したＲＦ出力チャンネルをモニタ又は表示管に表示するように構成したことを特徴とする請求項１記載のＲＦ出力設定機能を備えた映像機器。
【発明の詳細な説明】
【技術分野】
【０００１】
本発明は、ビデオテープレコーダ（ＶＴＲ）やＤＶＤなどの出力チャンネルを自動設定するためのＲＦ出力設定機能を備えた映像機器、特に、ＲＦ出力チャンネルを受信障害が生じない空きチャンネルに自動的に割り当てるＲＦ出力設定機能を備えた映像機器に関する。
【背景技術】
【０００２】
例えば、ビデオテープレコーダ（以下、ＶＴＲという）の再生信号やビデオカメラの出力などの映像信号及び音声信号を放送周波数の信号（以下、ＲＦ信号という）に変換するのにＲＦモジュレータが使用され、例えばＶＴＲの再生信号を、ＲＦモジュレータを通してＲＦ信号に変換し、テレビジョン受像機のアンテナ端子に入力することによって、ＶＴＲの再生画像を見ることができるようになっている。従来、このような、ＲＦコンバータの出力チャンネルとして放送チャンネルとして使用していない空きチャンネルに割り当てるようにしており、ＲＦコンバータの出力チャンネルを設定する技術として、例えば、特許文献１には、地域コード毎のチャンネルプランを記憶し、地域コードとチャンネルプランに基づき「１Ｃｈ」または「２Ｃｈ」のうち、いずれが空きチャンネルであるかを検知し、その空きチャンネルにＲＦコンバータの出力チャンネルを設定するように構成したテレビジョン信号出力装置およびビデオデッキが開示され、また、特許文献２には、チャンネルの選局及び自動探局と、この自動探局動作によって判断された連続する空きチャンネルの内、実質的に中央にあるチャンネルを選択し、該選択されたチャンネルをＲＦコンバータの出力チャンネルとして自動的に設定するように構成した自動設定手段を設けたＲＦコンバータ出力チャンネル自動設定装置が開示されている。
【特許文献１】特開平１１−６９２４３号公報
【特許文献２】特開平６−１６５０５２号公報
【発明の開示】
【発明が解決しようとする課題】
【０００３】
しかし、特許文献１で開示されるテレビジョン信号出力装置およびビデオデッキは、ＲＦコンバータの出力チャンネルとして「１Ｃｈ」または「２Ｃｈ」の何れかに選択することしかできず、日本向の様に１つの出力チャンネルへの切り換えは可能であるが、欧州向の様に出力チャンネルが多数ある場合、欧州向においては多数の空きチャンネルの中にどのチャンネルをプリセットすれば良いか問題がある。また、特許文献２で開示されるＲＦコンバータ出力チャンネル自動設定装置は、例えば、２１ＣＨ（４７１．２５ＭＨｚ）、４１ＣＨ（６２１．２５ＭＨｚ）に放送局が存在する場合、その中間の３１ＣＨ（５５１．２５ＭＨｚ）に設定されてしまう。しかし、スーパーヘテロダイン方式の受信機においては、局部発振周波数より中間周波数分高い位置の周波数（この周波数をイメージ周波数と呼ぶ）の信号は、周波数混合回路によって受信周波数と同じ中間周波数に変換されるので、２１ＣＨのイメージ周波数は、３８．９×２＋４７１．２５（ヨーロッパの中間周波数は３８．９ＭＨｚ）＝５４９．０５ＭＨｚとなり、その周波数に近い３１ＣＨ（５５１．２５ＭＨｚ）がＲＦ出力チャンネルに設定されると、２１Ｃｈにイメージ妨害が発生するという課題を有していた。
【０００４】
本発明は、上記課題に鑑みてなされたもので、イメージ妨害を生じさせない空きチャンネルにＲＦ出力チャンネルとして自動的に割り当てることが可能なＲＦ出力設定機能を備えた映像機器を提供することを目的とする。
【課題を解決するための手段】
【０００５】
本発明の請求項１のＲＦ出力設定機能を備えた映像機器は、チューナに導かれる放送信号をサーチして有局チャンネルと無局の空きチャンネルを選局する選局手段と、この選局手段によって検出された空きチャンネルのうち、少なくとも２つの連続する空きチャンネルを検出する空きチャンネル検出手段と、この空きチャンネル検出手段で検出した２つの空きチャンネルのうち、周波数が低い下位の有局チャンネルから１つの空きチャンネルを置いて２番目の空きチャンネルをＲＦ出力チャンネルとして設定するＲＦ出力設定手段とを設けたことを特徴する。
【０００６】
本発明の請求項２のＲＦ出力設定機能を備えた映像機器は、請求項１記載のＲＦ出力設定機能を備えた映像機器は、前記選局手段によって有局チャンネルと空きチャンネルを選局した後、前記ＲＦ出力設定手段によって設定したＲＦ出力チャンネルをモニタ又は表示管に表示するように構成したことを特徴とする。
【発明の効果】
【０００７】
本発明の請求項１のＲＦ出力設定機能を備えた映像機器によれば、チューナに導かれる放送信号をサーチして有局チャンネルと無局の空きチャンネルを選局する選局手段と、この選局手段によって検出された空きチャンネルのうち、少なくとも２つの連続する空きチャンネルを検出する空きチャンネル検出手段と、この空きチャンネル検出手段で検出した２つの空きチャンネルのうち、周波数が低い下位の有局チャンネルから１つの空きチャンネルを置いて２番目の空きチャンネルをＲＦ出力チャンネルとして設定するＲＦ出力設定手段とを設けたものであるから、隣接する下位の有局チャンネルの受信障害及びイメージ妨害が及ぶチャンネルにＲＦ出力チャンネルが選択されることがない。特に、イメージ妨害に関しては、放送テレビ信号をチューナで受信した場合、その受信周波数から中間周波数の２倍だけ隔てた周波数の信号により放送テレビ信号が受信障害を受けることになるが、必ず下位の周波数に位置する有局チャンネルから１つの空きチャンネルをおいて２番目の空きチャンネルがＲＦ出力チャンネルとして設定されることから、ＲＦ出力チャンネルがイメージ妨害を引き起こす中間周波数の２倍だけ隔てた周波数となるといったことは起こり得ない。このため、イメージ妨害による悪影響を防止し、近年のテレビ放送の多チャンネル化、都心部などのチャンネルの過密化等にも対応して、適正なＲＦ出力チャンネルが選択することができる。
【０００８】
本発明の請求項２のＲＦ出力設定機能を備えた映像機器によれば、請求項１記載のＲＦ出力設定機能を備えた映像機器は、前記選局手段によって有局チャンネルと空きチャンネルを選局した後、前記ＲＦ出力設定手段によって設定したＲＦ出力チャンネルをモニタ又は表示管に表示するように構成したものであるから、ユーザは、設定されたＲＦ出力チャンネルを容易に確認することができるから、ビデオデッキやＤＶＤなどを再生する際、ＲＦ出力のチャンネルをリモコン２などによってすばやく呼び出すことができる。
【発明を実施するための最良の形態】
【０００９】
以下、添付図面の図１〜図５を参酌しながら、本発明を実施するための最良の形態としての実施例を説明する。
【００１０】
図１は本発明によるＲＦ出力設定機能を備えた映像機器としてテレビジョン受像機とＶＴＲとの複合機を示したブロック図、図２は、マイコンの内部ブロックを示す図であり、
である。同図において、１はマイコン（マイクロコンピュータ）、２は操作部としてリモコン、３はリモコン２からのリモコン信号を受信してマイコン１に出力するリモコン受光部、４はチューナ、５はＩＦ（中間周波数）復調回路、６はＹ／Ｃ回路、７はビデオデッキ、８はモニタ、９は表示管、１０はＹ／Ｃ回路６からの各ビデオ信号／オーディオ信号をＲＦ信号に変換するＲＦコンバータである。
【００１１】
前記マイコン１は、リモコン２からの送信される入力信号を判別するキー判別部２Ａと、このキー判別部２Ａから送られる信号に基づいてユーザが要求する動作信号を出力する動作指示部１１及び動作制御部１２を有している。動作制御部１２は、動作指示部１１からの信号に基づいて画面表示部１３、選局手段としての自動選局実行部１４、この自動選局実行部１４で選局した際、空きチャンネルを検出する空きチャンネル検出部１５、自動選局実行部１４で選局した後、空きチャンネル検出部１５で検出した複数の空きチャンネルの中から連続して２つ以上の連続した空きチャンネルを検出するとともに、検出したチャンネルデータの周波数を比較する周波数比較部１６、空きチャンネルをＲＦ出力チャンネルに割り当てるＲＦ出力設定部１７の各部に指示を行う。また、画面表示部１３は、ＲＦ出力設定部１７で設定されたＲＦ出力チャンネルをモニタ８又は表示管９に表示させるための処理を行う。
【００１２】
次に図３のフローチャートを参照して本実施例の動作を説明する。使用者は購入時に、プリセット（選局）のためにリモコン２によりプリセットボタンを押すと、キー判別部２Ａから送られる信号に基づいて動作指示部１１によって、ユーザが要求する選局動作の開始が指示（ステップＳ１）されるが、この際、動作制御部１２によって、ＲＦ出力をオフ（ステップＳ２）した状態でこの自動選局実行部１４により、チューナ４から得られる信号に基づいて自動選局を開始する（ステップＳ３）。これにより、放送局の有無（有局／無局）をサーチし、この有局／無局のデータをマイコン１内のＲＡＭ（図示せず）に格納する。そして、自動選局が終了した後（ステップＳ４）、空きチャンネル検出部１５によって、ＲＡＭ（図示せず）に記憶された有局チャンネルをプリセットし、周波数比較部１６によってプリセットされた有局チャンネルのうち、最も周波数が低い有局チャンネルから連続した２つ以上空きチャンネルが存在するかを検出する（ステップＳ５、Ｓ６）。プリセットされた最も低い有局チャンネルの次に連続した２つ以上の空きチャンネルが存在しない場合、プリセットされた２番目に周波数から連続した２つ以上の空きチャンネルがあるかを順次サーチしていく（ステップＳ７）。このようにして２つ以上の空きチャンネルが連続しているところを探し、２つ以上の連続した空きチャンネルを検出した時点で、プリセットされた周波数の下位の有局チャンネルを基準として２番目に周波数が空きチャンネル、すなわち、図４に示すように例えば、２１Ｃｈと２８Ｃｈに有局チャンネルが存在し、２２〜２７Ｃｈに空きチャンネルが存在したとすると、２１Ｃｈを基準として２番目の周波数が高い２３ＣｈをＲＦの出力チャンネルとして設定する（ステップＳ８）。このようにして、自動選局したチャンネルデータは図４に示すようにモニタ８にオンスクリーン表示するか、若しくは図５に示すように、ＲＦの出力チャンネルをモニタ８及びビデオデッキ７の表示管９に表示する（ステップＳ９）。
【００１３】
以上のようにプリセット時に全チャンネルをサーチし、有局、無局の判断を行い、そのチャンネルデータから周波数が低い有局チャンネルから２つ以上空きチャンネルが連続しているところを探し、そのプリセットされた下位の有局チャンネルを基準として２番目の空きチャンネルをＲＦ出力チャンネルとして設定することにより、隣接する下位の有局チャンネルの受信障害及びイメージ妨害が及ぶチャンネルにＲＦ出力チャンネルが選択されることがない。すなわち、チューナ４のＲＦコンバータモジュールはサウンドキャリアがピクチャキャリアの上下に出力されてしまうことから、下側のサウンドキャリアが隣接する下位の有局チャンネルに影響を与える虞れがないとともに、イメージ妨害に関しては、放送テレビ信号をチューナで受信した場合、その受信周波数から中間周波数の２倍だけ隔てた周波数の信号により放送テレビ信号が受信障害を受けることになるが、前述した背景技術の項で説明した特許文献２のＲＦコンバータ出力チャンネル自動設定装置では、連続する空きチャンネルの実質的に中央にあるチャンネルを選択することから、多数の空きチャンネルが存在する場合、その中央にあるチャンネルが下位の有局チャンネルのイメージ妨害を引き起こすチャンネルとして設定されることが起こり得る。しかし、本実施例においては、必ず下位の有局チャンネルから１つの空きチャンネルをおいて２番目の空きチャンネルがＲＦ出力チャンネルとして設定されることから、ＲＦ出力チャンネルがイメージ妨害を引き起こす中間周波数の２倍だけ隔てた周波数となるといったことは起こり得ない。このため、イメージ妨害による悪影響を防止し、近年のテレビ放送の多チャンネル化、都心部などのチャンネルの過密化等にも対応して、適正なＲＦ出力チャンネルが選択することができる。
【００１４】
また、ユーザ自身がＲＦ出力チャンネルを検索して設定する必要が無く、ＲＦ出力チャンネルを自動に設定することができ操作性に優れるとともに、有局チャンネルと空きチャンネルを選局した後、設定したＲＦ出力チャンネルをモニタ８又は表示管９に表示するように構成したことにより、ユーザは、設定されたＲＦ出力チャンネルを容易に確認することができるから、ビデオデッキやＤＶＤを再生する際、ＲＦ出力のチャンネルをリモコン２などによってすばやく呼び出すことができる。
【図面の簡単な説明】
【００１５】
【図１】本発明の一実施例を示すブロック図である。
【図２】同上、マイコン内部のブロック図である。
【図３】同上、選局動作を示すフローチャートである。
【図４】同上、自動選局したチャンネルデータを画面表示した状態を示す説明図である。
【図５】同上、ＲＦ出力したチャンネルの表示状態を示す説明図である。
【符号の説明】
【００１６】
８  モニタ
９  表示管
１４  自動選局実行部（選局手段）
１５  空きチャンネル検出部（空きチャンネル検出手段）
１７  ＲＦ出力設定部（ＲＦ出力設定手段）
【図１】
2005341338.tif 000003
【図２】
2005341338.tif 000004
【図３】
2005341338.tif 000005
【図４】
2005341338.tif 000006
【図５】
2005341338.tif 000007